(57)【要約】【課題】枠材を容易に取り付けることのできる室内建具を提供すること。【解決手段】開口部の上下方向に延びるように配置される一対の縦枠３１と、縦枠３１の上端部に取り付けられ、上下方向にスライド可能な端部ピース４と、を備え、端部ピース４は、縦枠３１の上端部と、開口部の上部又は上枠３２との間に配置され、縦枠３１の上端部と、開口部の上部又は上枠３２との取り合いを調整する、ドア１である。端部ピース４は、上面が平坦な面により構成される上面部４１と、縦枠３１に取り付けられた状態で、開口部の上部又は上枠３２を被覆する被覆部４２と、被覆部４２から下方に延び、縦枠３１の上下方向に延びる溝部に固定される固定部４３と、を有することが好ましい。【選択図】図２
2019173360.tif 000002
【特許請求の範囲】
【請求項１】
開口部の上下方向に延びるように配置される一対の縦枠と、
前記縦枠の上端部に取り付けられ、上下方向にスライド可能な高さ調整片と、を備え、
前記高さ調整片は、前記縦枠の上端部と、前記開口部の上部又は上枠との間に配置され、前記縦枠の上端部と、前記開口部の上部又は上枠との取り合いを調整する、室内建具。
【請求項２】
前記高さ調整片は、
上面が平坦な面により構成される上面部と、
前記縦枠に取り付けられた状態で、前記開口部の上部又は前記上枠を被覆する被覆部と、
前記被覆部から下方に延び、前記縦枠の上下方向に延びる溝部に固定される固定部と、を有する、請求項１に記載の室内建具。
【請求項３】
前記一対の縦枠の上端部の間に見付方向に延びるように配置される前記上枠と、
前記縦枠及び前記上枠の内側に配置される戸体と、を備えるドアである、請求項１又は２に記載の室内建具。
【請求項４】
室内建具の施工方法であって、
開口部の上下方向に延びるように配置される一対の縦枠を、前記開口部の上部又は上枠との間に取付ける縦枠取付工程と、
前記縦枠の上端部に、上下方向にスライド可能な高さ調整片を仮に取付ける調整片仮取付工程と、
前記縦枠の前記上端部と、前記開口部の上部又は上枠との間の隙間を小さくするように前記高さ調整片を移動させ、前記高さ調整片を、前記開口部の上部又は前記上枠に当接するように高さを調整する高さ調整工程と、
前記高さを調整した前記高さ調整片を前記縦枠に固定する固定工程と、を有する室内建具の施工方法。
【請求項５】
前記縦枠取付工程の前に、前記開口部の上部に前記上枠を取り付ける上枠取付工程を有する請求項４に記載の施工方法。
【発明の詳細な説明】
【技術分野】
【０００１】
本発明は、室内建具に関する。
【背景技術】
【０００２】
従来、室内で部屋と部屋の間の開口部等にドアを取り付ける際には、開口部に沿って枠材を構成するように、縦枠等の枠材が取り付けられることが知られている。また、枠材の取付けは、縦枠、上下の横枠等の位置決めが困難で施工性に問題があることも指摘されている（例えば、特許文献１参照）。
【先行技術文献】
【特許文献】
【０００３】
【特許文献１】特許第３６２０２６３号公報
【発明の概要】
【発明が解決しようとする課題】
【０００４】
近年、室内建具として、建具の戸体が天井まで届くような意匠性の高い建具が提案されている。ここで、枠材を床面から天井や梁等の躯体の上部に届くまで形成し、天井高さまで枠材を納めようとする場合、枠材の縦枠が長尺になる。このため、戸体の高さが天井まで届かない一般的な建具と比べて、躯体に対する縦枠の取付けに高い精度が求められ、施工の難度が高かった。
【０００５】
本発明は、枠材を容易に取り付けることのできる室内建具を提供することを目的とする。
【課題を解決するための手段】
【０００６】
本発明は、開口部の上下方向に延びるように配置される一対の縦枠（例えば、後述の縦枠３１）と、前記縦枠の上端部に取り付けられ、上下方向にスライド可能な高さ調整片（例えば、後述の端部ピース４）と、を備え、前記高さ調整片は、前記縦枠の上端部と、前記開口部の上部（例えば、後述の天井パネル５１０）又は上枠（例えば、後述の上枠３２）との間に配置され、前記縦枠の上端部と、前記開口部の上部又は上枠との取り合いを調整する、室内建具（例えば、後述のドア１）に関する。
【０００７】
前記高さ調整片は、上面が平坦な面により構成される上面部（例えば、後述の上面部４１）と、前記縦枠に取り付けられた状態で、前記開口部の上部又は前記上枠を被覆する被覆部（例えば、後述の被覆部４２）と、前記被覆部から下方に延び、前記縦枠の上下方向に延びる溝部に固定される固定部（例えば、後述の固定部４３）と、を有することが好ましい。
【０００８】
前記縦枠の上部を連結するように配置される前記上枠と、前記縦枠及び前記上枠の内側に配置される戸体（例えば、後述の戸体１０）と、を備えるドアであることが好ましい。
【０００９】
また、本発明は、室内建具の施工方法であって、開口部の上下方向に延びるように配置される一対の縦枠を、前記開口部の上部又は上枠との間に取付ける縦枠取付工程（例えば、後述の縦枠取付工程Ｓ１）と、前記縦枠の上端部に、上下方向にスライド可能な高さ調整片を仮に取付ける調整片仮取付工程と（例えば、後述の調整片仮取付工程Ｓ２）、前記縦枠の前記上端部と、前記開口部の上部又は上枠との間の隙間を小さくするように前記高さ調整片を移動させ、前記高さ調整片を、前記開口部の上部又は前記上枠に当接するように高さを調整する高さ調整工程（例えば、後述の高さ調整工程Ｓ３）と、前記高さを調整した前記高さ調整片を前記縦枠に固定する固定工程（例えば、後述の固定工程Ｓ４）と、を有する室内建具の施工方法に関する。
【００１０】
前記縦枠取付工程の前に、前記開口部の上部に前記上枠を取り付ける上枠取付工程（例えば、後述の上枠取付工程Ｓ５）を有することが好ましい。
【発明の効果】
【００１１】
本発明によれば、天井高さに高い精度を必要とせず、枠材を容易に取り付けることのできる室内建具を提供することができる。
【図面の簡単な説明】
【００１２】
【図１】本実施形態のドアの正面図である。
【図２】図１のＡ−Ａ断面の拡大図である。
【図３】本実施形態の高さ調整片を示す図であり、（ａ）図は平面図、（ｂ）図は正面図、（ｃ）図は底面図、（ｄ）図は、左側面図、（ｅ）図は右側面図である。
【図４】本実施形態の高さ調整片及び縦枠を示す部分斜視分解図である。
【図５Ａ】本実施形態のドアの施工手順を示す説明図である。
【図５Ｂ】本実施形態のドアの施工手順を示す説明図である。
【図５Ｃ】本実施形態のドアの施工手順を示す説明図である。
【図５Ｄ】本実施形態のドアの施工手順を示す説明図である。
【図５Ｅ】本実施形態のドアの施工手順を示す説明図である。
【発明を実施するための形態】
【００１３】
以下、本発明の実施形態について図面を参照しながら詳しく説明する。
なお、本明細書において、「見付方向」とは、建物に形成された開口部を正面から見た場合の左右方向を意味し、「見込方向」とは、開口部を介して連続する二つの空間の手前側と奥側を結ぶ室内外方向を意味する。
【００１４】
図１は、本実施形態の室内建具としてのドア１の正面図である。ドア１は、床面５４から天井５１まで上下方向一杯に延びる天井納まりの建具である。ドア１は躯体２、天井５１、床面５４及び壁５３で囲まれる開口部に配置される。
躯体２は、上下方向に延び、互いに離間する一対の柱２１と、一対の柱２１同士を連結する梁２２と、を有する。
天井５１は、室内上部で床面５４に対向するように延びる天井パネル５１０により構成される。天井パネル５１０は、梁２２の下端側に位置する野縁（図示せず）に固定される。
壁５３は、開口部の周囲に上下方向に延びるように配置され、柱２１の見付面に取り付けられる壁パネル５３０により構成される。
床面５４は、天井パネル５１０に対向して配置される床パネル５４０により構成される。
なお、開口部の見込面で、戸体１０の開閉方向の奥側には、幅狭の見込壁パネル５５０が配置される（図２参照）。
【００１５】
ドア１は、枠材３と、高さ調整片としての端部ピース４と、戸体１０とを有する。
戸体１０は、縦枠３１及び上枠３２の内側に配置され、片開きで取り付けられる板体である。戸体１０の縦方向の長さは、本実施形態では１７００〜２５００ｍｍ程度である。
枠材３は、開口部の上下方向に延びるように配置される一対の縦枠３１と、一対の縦枠３１の上端部の間に見付方向に延びるように配置される上枠３２と、を有し、戸当たり６が取り付けられる。
端部ピース４は、縦枠３１の上端部に取り付けられ、縦枠３１と上枠３２又は天井パネル５１０等の開口部の上部との取り合いを調整する部材である。
【００１６】
図２は、図１のＡ−Ａ断面図であり、説明の便宜のため、端部ピース４を破線で示している。図２に示すように、縦枠３１は、平面部３１１と、戸当たり溝３１２と、平面支持部３１３と、壁パネル被覆部３１５と、を有する。
【００１７】
平面部３１１は、開口部の内面側を向き、戸体１０の見込面に向き合う平坦な部分である。戸体１０の吊元側に位置する縦枠３１の平面部３１１には、戸体１０のヒンジ部が取り付けられる。
【００１８】
戸当たり溝３１２は、平面部３１１から、平面部３１１に直交する方向に屈曲し、略コ字状の断面を形成する溝部である。戸当たり溝３１２は、後述する戸当たり６を嵌め込むための溝であり、戸当たり６を柱２１の開口部側の見込面より見付方向内側で支持する。戸当たり溝３１２は、その底部３１２ａが平面部３１１と平行する方向に延び、側壁部３１２ｂが底部３１２ａと平面部３１１に略直交する方向に延びる。戸当たり溝３１２は、縦枠３１の縦方向の全長に沿って延びる。
【００１９】
平面支持部３１３は、平面部３１１の裏側（柱２１側）に配置される。平面支持部３１３は、支持部底部３１３ａと、支持側壁部３１３ｂとを有する。支持部底部３１３ａは、平面部３１１が延びる方向と同じ方向に沿って形成され、部分的に柱２１に当接するように突出する突起３１３ｃを有する。支持側壁部３１３ｂは、戸当たり溝３１２の側壁部３１２ｂと対向し、平面部３１１に直交するように延びる。平面部３１１と、戸当たり溝３１２の側壁部３１２ｂと、支持部底部３１３ａと、支持側壁部３１３ｂとにより、略長方形の中空部３１４が形成されている。
【００２０】
壁パネル被覆部３１５は、平面部３１１における戸当たり溝３１２が配置されない側の端部において、柱２１側に屈曲し、屈曲した端部と平面支持部３１３との間に位置する壁パネル５３０の見込方向を被覆する。
【００２１】
上枠３２は、梁２２に固定されるとともに、天井パネル５１０の端部を被覆する。上枠３２及び縦枠３１は、それぞれアルミで構成される。
【００２２】
図３（ａ）は端部ピース４の平面図、図３（ｂ）は端部ピース４の正面図、図３（ｃ）は端部ピース４の底面図、図３（ｄ）は、端部ピース４の左側面図、図３（ｅ）は端部ピース４の右側面図である。図４は、端部ピース４及び縦枠３１の部分斜視分解図である。
図３（ａ）〜（ｅ）に示すように、端部ピース４は、上面部４１と、被覆部４２と、固定部４３と、長孔４４と、リブ突起部４５と、を有する。端部ピース４は、一対の縦枠３１の左右いずれの側に用いられる場合も、同じ形状を有し、樹脂により形成される。
【００２３】
上面部４１は、図２に示すように、端部ピース４を縦枠３１に取り付けた際に上面に位置する平坦な面により構成される。上面部４１は、端部ピース４を取り付けた縦枠３１が柱２１に固定された状態で、開口部の上部に当接する平面である。
【００２４】
被覆部４２は、図３（ｃ）及び図４に示すように、端部ピース４を縦枠３１に取り付けた際に下方から見る側が平坦な面となる。被覆部４２は、縦枠３１に取り付けられた状態では、縦枠３１から見込方向に離れる方向（図２では、戸体１０の開閉方向の奥側）に延出し、以下に説明する戸当たり６の上部に位置し、戸当たり６を覆うように延出する（図２、図５Ｃ参照）。被覆部４２はドア１が平納まりや入隅納まり等の開口部の構成が異なる場合に、戸当たり６の形状によらず端部を覆うことができるように延出している。被覆部４２は、縦枠２１に取り付けられた状態で、使用者が下から見上げると、開口部の上部である天井パネル５１０及び上枠３２を被覆している（図５Ｄ参照）。被覆部４２は、被覆面４２１と、周縁部４２２とを有する。
【００２５】
被覆面４２１は、上面部４１よりも下方に位置するとともに、上面部４１と平坦な部分が上下方向及び見付方向にずれて配置されている。
周縁部４２２は、被覆面４２１の周縁において、被覆面４２１から上方に向かって起立する側壁を形成する。図４に示すように、端部ピース４を縦枠３１に取り付けた際、周縁部４２２が被覆面４２１の周縁から起立していることにより、人が下から見上げたときに、壁パネル５３０の上端と上枠３２との間の隙間が覆われて見えづらくなる。
【００２６】
固定部４３は、図３（ｂ）、（ｄ）及び（ｅ）に示すように、被覆部４２から下方に延びる長方形の板面である。固定部４３の幅は、戸当たり溝３１２の側壁部３１２ｂ同士の間の距離よりわずかに短い。固定部４３は、縦枠３１の上下方向に延びる戸当たり溝３１２内に嵌められ、固定される。固定部４３の板面の幅方向両端部には、固定部４３と被覆面４２１とが略直交するように配置されて形成される角部に位置する三角形の支持側壁４３１が形成されている。
【００２７】
長孔４４は、固定部４３に縦方向に延びて形成される。長孔４４は、後述するように、端部ピース４が上下方向にスライドして位置合わせされた後、戸当たり溝３１２にネジにより固定されるために形成されている。
【００２８】
リブ突起部４５は、固定部４３に隣接して、上面部４１の下面から下方に突出する突起である。リブ突起部４５は、図３（ｃ）に示すように、断面視略長方形の長辺の一部を切り欠いた枠状の形状をしており、図３（ｂ）、図３（ｅ）等に示すように、上下方向に延びる面を有する。リブ突起部４５は、端部ピース４を縦枠３１に取り付けた際に、縦枠３１の平面部３１１と、戸当たり溝３１２の側壁部３１２ｂと、支持部底部３１３ａと、支持側壁部３１３ｂとにより形成される中空部３１４に挿入される。
【００２９】
戸当たり６は、縦枠３１及び上枠３２の戸当たり溝３１２に係止するように取り付けられ、縦枠３１の見付方向に突出する。戸当たり６は、戸体１０の開閉が９０度内で収まるように、戸体１０の戸先側端部に当接可能に突出する。戸当たり６は、樹脂により構成される。
【００３０】
図４は、端部ピース４及び縦枠３１の部分斜視分解図である。
図４に示すように、端部ピース４は、リブ突起部４５を縦枠３１の中空部３１４に挿入しつつ、固定部４３を戸当たり溝３１２の底部３１２ａに当接させることで、縦枠３１に上下方向にスライド移動可能に取り付けられる。
【００３１】
図５Ａ〜図５Ｅは、ドア１の施工手順を示す説明図である。図４〜図５Ｅを参照して、ドア１の施工手順を説明する。
図５Ａに示すように、縦枠３１を取り付ける前に、天井パネル５１０に上枠３２を取り付け、（上枠取付工程Ｓ５）また、開口部の下部に下枠３３を取り付ける。上枠３２を取り付けた後、縦枠３１を取り付ける前に、上枠３２を挟んで見込方向の一方及び他方側に天井パネル５１０を配置し、開口部の上部の野縁に固定する。
【００３２】
次に、図５Ｂに示すように、次に、開口部の見付方向における一方及び他方に、上下方向に延びるように一対の縦枠３１を取り付ける（縦枠取付工程Ｓ１）。つまり、天井パネル５１０がすでに取り付けられた状態でも、縦枠３１を取り付けることができる。このとき、天井パネル５１０及び上枠３２と縦枠３１の上端部との間は、躯体や枠材３の取付誤差等のために、ぴったりと合わさっていない状態である。
【００３３】
次に、図４、図５Ｃに示すように、端部ピース４を縦枠３１の上端部に仮に取り付ける（調整片仮取付工程Ｓ２）。仮に取り付けるとは、端部ピース４が上下にスライド可能な状態で、リブ突起部４５を中空部３１４に挿入し、固定部４３を戸当たり溝３１２の底部３１２ａに当接させた状態を言い、仮置きすることを意味する。
【００３４】
図５Ｄは、開口部の吊元側の上部を示す図である。図５Ｄでは、説明の便宜のため、上部の戸当たり６は省略して示している。図５Ｄに示すように、端部ピース４を、縦枠３１の上端部と、天井パネル５１０及び上枠３２との間の隙間をできる限り小さくするように上下方向にスライド移動させて配置する。そして、端部ピース４を天井パネル５１０及び上枠３２に当接するように高さを調整する（高さ調整工程Ｓ３）。これにより、縦枠３１の上端部と上枠３２との取り合いが調整され、具体的には、縦枠３１の上端部と上枠３２及び天井パネル５１０とを組み付ける間隔が調整される。
【００３５】
図５Ｄに示すように、端部ピース４が取り付けられると、端部ピース４の上面部４１は天井パネル５１０に当接する。また、上面部４１は、縦枠３１の上端部と上枠３２の見付方向の端部とに挟まれるように位置する。
被覆部４２は、縦枠３１から見込方向に離れる方向、すなわち戸体１０よりも開閉方向奥側へ延び、上枠３２に当接するか、又は上枠３２を被覆するように配置される。被覆部４２は、被覆面４２１の周縁に周縁部４２２が上下に起立するように形成されている。このため、ドア１の利用者が下から見上げた状態では、縦枠３１と上枠３２との間にまだ隙間が存在しても、周縁部４２２により隙間が見えにくくなっている。
【００３６】
端部ピース４の位置を決めたところで、固定部４３の長孔４４を介して、ねじにより固定部４３を縦枠３１の戸当たり溝３１２に固定する（固定工程Ｓ４）。
【００３７】
図５Ｅに示すように、縦枠３１を取り付けた後、縦枠３１に戸当たり６を取り付ける。図２及び図５Ｅに示されるように、端部ピース４の被覆部４２は、縦枠３１の戸当たり６の上面を覆うような寸法になっており、戸当たり６が取り付けられると、戸当たり６と上枠３２又は天井パネル５１０との間の間隔も、端部ピース４により調整される。この状態では、端部ピース４は、目立たない。
【００３８】
本実施形態によれば、以下の効果が奏される。
本実施形態では、ドア１を、開口部の上下方向に延びるように配置される一対の縦枠３１と、縦枠３１の上端部に取り付けられ、上下方向にスライド可能な端部ピース４と、を含んで構成した。また、端部ピース４を、縦枠３１の上端部と、例えば天井パネル５１０のような開口部の上部又は上枠３２との間に配置し、縦枠３１の上端部と、開口部の上部又は上枠３２との取り合いを調整させた。
端部ピース４を縦枠３１の上端部にスライド可能に設けたので、縦枠３１の上端と天井パネル５１０や上枠３２との取り合いで隙間が形成されていても、この隙間を目立たないように縦枠３１を取り付けることができる。このため、ドア１の戸体１０が天井まで届くような天井納まりの建具であった場合に、枠材３の高さ寸法に若干の寸法誤差が発生しても、端部ピース４で微調整することができるため、容易に施工することができる。
また、端部ピース４によって枠材３の縦方向の長さを調節することができるため、縦枠３１、上枠３２をそれぞれ独立して取り付けることができるようになる。さらに、縦枠３１、上枠３２をそれぞれ独立して取り付けることができるため、いわゆる二方組や三方組のいずれにも用いることができ、開口部周囲の設計の自由度が向上する。
【００３９】
本実施形態では、端部ピース４を、上面が平坦な面により構成される上面部４１と、縦枠３１に取り付けられた状態で、天井パネル５１０又は上枠３２を被覆する被覆部４２と、被覆部４２から下方に延び、縦枠３１の上下方向に延びる溝部に固定される固定部４３と、を含んで構成した。
端部ピース４が上部に平坦な上面部４１を有しているため、一対の縦枠３１及び上枠３２で構成される三方組でなく、上枠３２を有さない二方組の構成であっても、上面部４１が天井パネル５１０等の開口部の上部の構造体に接することができるので、室内建具の施工が容易になるとともに、開口部周囲の設計の自由度が向上する。
また、端部ピース４が被覆部４２を有しているため、天井パネル５１０や上枠３２等の開口部の上部の構造体と縦枠３１の上端部との隙間が効果的に見えにくくなる。このため、開口部の上部の構造体や上枠３２と縦枠３１の上端部との隙間を、端部ピース４が厳密にぴったりと塞がない場合であっても、上記と同様の効果を奏する。
【００４０】
本実施形態では、一対の縦枠３１の上端部の間に見付方向に延びるように配置される上枠３２と、縦枠３１及び上枠３２の内側に配置される戸体１０と、を備えるドア１により室内建具を構成した。縦枠３１及び上枠３２をいわゆる三方組とした場合でも、施工が容易になり、上記と同様の効果を奏する。
【００４１】
本実施形態では、ドア１の施工方法を、開口部の上下方向に延びるように配置される一対の縦枠３１を、開口部の上部又は上枠３２との間に取付ける縦枠取付工程（Ｓ１）と、縦枠３１の上端部に、上下方向にスライド可能な端部ピース４を仮に取付ける調整片仮取付工程（Ｓ２）と、縦枠３１の上端部と、開口部の上部又は上枠３２との間の隙間を小さくするように端部ピース４を移動させ、端部ピース４を、開口部の上部又は上枠３２に当接するように高さを調整する高さ調整工程（Ｓ３）と、高さを調整した端部ピース４を縦枠３１に固定する固定工程（Ｓ４）と、を含んで構成した。これにより、縦枠３１を取り付けた後に、天井パネル５１０や上枠３２と縦枠３１の上端部との間隔を調整できるので、天井の高さと枠材３の高さとで厳密に寸法を合わせなくても、容易に施工することができ、上記と同様の効果を奏する。
【００４２】
本実施形態では、縦枠取付工程（Ｓ１）の前に、開口部の上部に上枠３２を取り付ける上枠取付工程（Ｓ５）を含んで構成した。これにより、縦枠３１及び上枠３２をいわゆる三方組とした場合でも、施工が容易になり、上記と同様の効果を奏する。
【００４３】
以上、本発明の好ましい実施形態について説明したが、本発明は、上述の実施形態に制限されるものではなく、適宜変更が可能である。
例えば、上記実施形態では、天井納まりを例として説明したが、室内建具は天井納まりで取り付けられる場合に限られない。例えば、室内建具は、天井から下垂する垂れ壁を構成する垂れ壁パネルに取り付けられてもよい。開口部の上部とは、天井パネル５１０に限らず、開口部の上部の構造体を含む。
【００４４】
また、上記実施形態では、縦枠３１及び上枠３２で構成される三方の枠材３を開口部に配置したが、これに限られない。上枠３２を有さずに、一対の縦枠３１のみで二方に組んでもよい。
【符号の説明】
【００４５】
１    ドア（室内建具）
４    端部ピース（高さ調整片）
１０  戸体
３１  縦枠
３２  上枠
４１  上面部
４２  被覆部
４３  固定部
５１０  天井パネル（開口部の上部）
Ｓ１  縦枠取付工程
Ｓ２  調整片仮取付工程
Ｓ３  高さ調整工程
Ｓ４  固定工程
Ｓ５  上枠取付工程
【図１】
2019173360.tif 000003
【図２】
2019173360.tif 000004
【図３】
2019173360.tif 000005
【図４】
2019173360.tif 000006
【図５Ａ】
2019173360.tif 000007
【図５Ｂ】
2019173360.tif 000008
【図５Ｃ】
2019173360.tif 000009
【図５Ｄ】
2019173360.tif 000010
【図５Ｅ】
2019173360.tif 000011